(57)【特許請求の範囲】
【請求項１】
紙質等の用紙情報及び印刷データを含む印刷ジョブに基づいて画像形成された記録用紙を加熱した後、排紙トレイ上に積層する画像形成装置において、
印刷ジョブの紙質情報に基づいて前記排紙トレイの傾斜角度を設定する設定手段と、
前記設定された傾斜角度となるように前記排紙トレイの傾斜角度を調整する調整手段と、
を備え、
前記設定手段は、前記印刷ジョブの用紙サイズと前記排紙トレイに積層された最上段の用紙サイズの大小関係に基づいて前記傾斜角度を調整することを特徴とする画像形成装置。
【請求項２】
前記設定手段は、前記排紙トレイに積層された用紙枚数に基づいて前記傾斜角度を調整することを特徴とする請求項１記載の画像形成装置。
【請求項３】
前記設定手段は、前記排紙トレイに積層された最上段の用紙の表面の摩擦抵抗に基づいて前記傾斜角度を調整することを特徴とする請求項１又は２記載の画像形成装置。
【請求項４】
前記設定手段は、前記排紙トレイに積層された用紙がない場合に、印刷ジョブの１枚目が排出されるときだけ、排紙トレイの傾斜角度を２枚目以降よりも相対的に高く設定することを特徴とする請求項１〜３のいずれか１項記載の画像形成装置。
【請求項５】
前記設定手段は、前記排紙トレイに積層された用紙がなく、かつ排出される１枚目の用紙に作用する摩擦抵抗が２枚目以降に排出される用紙と比較して相対的に高くなる場合に、印刷ジョブの１枚目が排出されるときだけ、排紙トレイの傾斜角度を２枚目以降よりも相対的に低く設定することを特徴とする請求項１〜３のいずれか１項記載の画像形成装置。
【発明の詳細な説明】
【０００１】
【発明の属する技術分野】
本発明は、画像形成装置に関する。
【０００２】
【従来の技術】
画像形成装置の排出トレイでは、排出トレイのスタック量が増加するに従って、用紙の排出口と最上段の用紙との距離が短くなり、用紙がより鋭角な角度で曲げられることになる。すなわち、排出トレイのスタック量に応じて揃え性能（精度）が変化してしまう。
【０００３】
そこで、スタック量に拘わらず揃え性能（精度）を維持するために、排出トレイの底面と用紙の排出方向のなす角度（以下、突入角度という）を可変にする構成が特開昭６１−５１４５６号公報（以下、第１従来例という）に提案されている。すなわち、排出トレイにスタックされた用紙の重量の増加に応じて排出トレイの傾斜角度（突入角度）を減少させる構成とするものである。すなわち、スタック量が増加すると排出トレイの重量が増加するため、排出トレイの傾斜角度（突入角度）が減少して排出口から最上段の用紙までの距離が所定の距離とされ、スタック性能が確保される。
【０００４】
また、スタック性能のうち、特に用紙揃えの改善を目的として、特開平１−２６１１６１号公報（以下、第２従来例という）に、画像形成装置の排出部にローラに羽根を設け、排出される用紙の後端を羽根が叩くと共に、羽根が排出された用紙の後端を排出トレイの基部に引っ張るため、用紙揃えを改善できるものが提案されている。
【０００５】
【発明が解決しようとする課題】
近年、画像形成装置に用いられる用紙の多品種化は目覚しく、従来一般的であった６０−７０ｇｓｍ（１平方メートルあたりのグラム数）の用紙以外にも、最近では６０−２５６ｇｓｍの用紙もプリント可能とすることが要求されている。
【０００６】
したがって、上記第１従来例を多品種の用紙が使用される画像形成装置に適用した場合、１枚当たりの重量が大きい厚紙（１００ｇｓｍ以上）がスタックされると、スタック量が小さいのに突入角度を小さくしすぎてしまう。この結果、排出された用紙の後端を良好に揃えることができず、スタック性能が低下してしまうという不都合があった。
【０００７】
また、電子写真方式の画像形成装置において定着装置の温度が一定である場合、例えば定着装置の設定温度が厚紙用に設定されている場合には、薄紙をプリントしたときに用紙がカールし、傾斜角度の大きい排紙トレイ上で用紙先端が浮いてしまうという問題があった。
【０００８】
さらに、用紙の種類（紙質など）の多様化によって、用紙の種類によって表面摩擦係数が大きく異なることになった。したがって、排出される用紙が同一であっても、排紙トレイに積層された最上段の用紙の表面摩擦係数が低く、排紙トレイの傾斜角度が小さい場合には、排出された用紙の後端揃えが良好にいかないという不都合があった。
【０００９】
さらにまた、小サイズの用紙の上に大サイズの用紙を排出すると、積層された用紙の山が崩れてしまい、ページ順が乱れたり、一部の用紙が排出トレイから落下するおれそがあった。
【００１０】
一方、第２従来例では、排紙トレイに収納された最上段の用紙の後端を羽根が叩きつづけるため、当該用紙後端部分に汚れが付着したり、画像こすれ等の印字品質の低下が発生する不都合があった。
【００１１】
本発明は、上記事実に鑑みて成されたものであり、異なる種類の記録用紙のプリントが混在する場合でも良好な揃え性能を確保できる画像形成装置を提供することを目的とする。
【００１２】
【課題を解決するための手段】
上記目的を達成するために、請求項１記載の発明は、紙質等の用紙情報及び印刷データを含む印刷ジョブに基づいて画像形成された記録用紙を加熱した後、排紙トレイ上に積層する画像形成装置において、印刷ジョブの紙質情報に基づいて前記排紙トレイの傾斜角度を設定する設定手段と、前記設定された傾斜角度となるように前記排紙トレイの傾斜角度を調整する調整手段と、を備え、前記設定手段は、前記印刷ジョブの用紙サイズと前記排紙トレイに積層された最上段の用紙サイズの大小関係に基づいて前記傾斜角度を調整することを特徴とする。
【００１３】
請求項１記載の発明の作用について説明する。
【００１４】
本発明に係る画像形成装置では、設定手段が印刷ジョブの紙質情報に基づいて排紙トレイの傾斜角度を設定し、調整手段がその傾斜角度に排紙トレイを傾斜させるため、排紙トレイ上に良好に用紙をスタックすることができる。例えば、電子写真方式の画像形成装置で定着部において一定量の加熱が行われる場合、薄紙はカール量が大きくなるため、排紙トレイの傾斜角度を相対的に小さくしてカールした用紙の先端が浮くことを防止する。一方、厚紙の場合には、傾斜角度が相対的に小さいと用紙のコシが強く排紙トレイから飛び出してしまい揃え性が悪化するため、また、定着装置の加熱によってもカール量が抑制されるため、排紙トレイの傾斜角度を相対的に大きくして用紙の後端揃え性を確保することができる。
また、印刷ジョブの用紙サイズと排紙トレイに積層された最上段の用紙サイズの大小関係によって印刷ジョブで排出される用紙のスタック性能が変化する。すなわち、最上段の用紙よりも大きいサイズの用紙が排出される場合には、排出される用紙に作用する摩擦力（制動力）が相対的に低下するため、排紙トレイの傾斜角度を相対的に増加させる調整が必要になる。そこで、最上段の用紙サイズと印刷ジョブの用紙サイズの大小関係に基づいて排紙トレイの傾斜角度を調整することによって、用紙の後端が揃わず、積層された用紙の山が崩れてしまう等の不都合を確実に回避できる。
【００１５】
請求項２記載の発明は、請求項１記載の発明において、前記設定手段は、前記排紙トレイに積層された用紙枚数に基づいて前記傾斜角度を調整することを特徴とする。
【００１６】
請求項２記載の発明の作用について説明する。
【００１７】
設定手段が排紙トレイに積層された用紙枚数に基づいて排紙トレイの傾斜角度を設定することによって、一層良好なスタック性能を確保することができる。すなわち、排紙トレイに積層された用紙枚数が多くなると、排出口から排紙トレイに積層された最上段の用紙までの距離が短くなるため、排紙トレイの設定傾斜角度を減少させるように調整することによって、排出口から排紙トレイに積層された最上段の用紙まで距離を所定の距離とすることができ、良好なスタック性能を維持できる。
【００１８】
特に、排紙トレイの用紙重量ではなく用紙枚数に基づいて排紙トレイの傾斜角度を設定しているため、排紙トレイ上に異なる紙質（重量）の用紙が混在している場合であっても、正確な積層枚数に基づいて排紙トレイの傾斜角度を設定でき、良好なスタック性能を確保できる。
【００１９】
請求項３記載の発明は、請求項１または２記載の発明において、前記設定手段は、前記排紙トレイに積層された最上段の用紙の表面の摩擦抵抗に基づいて前記傾斜角度を調整することを特徴とする。
【００２０】
請求項３記載の発明の作用について説明する。
【００２１】
排紙トレイに用紙が積層されている場合に、最上段の用紙の表面の摩擦抵抗によって排出される用紙のスタック性能が異なる。すなわち、最上段の用紙の摩擦係数が相対的に小さい場合には、排紙トレイの傾斜角度を相対的に大きくするように設定値（傾斜角度）を調整することによって、排紙トレイの傾斜角度不足によって用紙の後端揃えができないことや、用紙が排紙トレイから落下することを確実に防止できる。
【００２５】
請求項４記載の発明は、請求項１〜３のいずれか１項記載の発明において、前記設定手段は、前記排紙トレイに積層された用紙がない場合に、印刷ジョブの１枚目が排出されるときだけ、排紙トレイの傾斜角度を高く設定することを特徴とする。
【００２６】
請求項４記載の発明の作用について説明する。
【００２７】
排紙トレイに用紙がない場合、印刷ジョブに基づいて画像形成された１枚目の用紙は、排紙トレイ上に排出される。一方、２枚目以降の用紙は、すでに排紙トレイに積層されている用紙上に排出される。したがって、１枚目と２枚目以降の用紙は、排出時に用紙に作用する摩擦力が異なる。排紙トレイ上に排出される１枚目の用紙に作用する摩擦力が相対的に小さいケースでは、１枚目排出時の排紙トレイの傾斜角度を相対的に大きくする調整を行う。この結果、印刷ジョブに基づいて排出される用紙のスタック性能が一層良好になる。
【００２８】
請求項５記載の発明は、請求項１〜３のいずれか１項記載の発明において、前記設定手段は、前記排紙トレイに積層された用紙がなく、かつ排出される１枚目の用紙に作用する摩擦抵抗が２枚目以降に排出される用紙と比較して相対的に高くなる場合に、印刷ジョブの１枚目が排出されるときだけ、排紙トレイの傾斜角度を低く設定することを特徴とする。
【００２９】
請求項５記載の発明の作用について説明する。
【００３０】
排紙トレイに用紙がない場合、印刷ジョブに基づいて画像形成された１枚目の用紙は、排紙トレイ上に排出される。一方、２枚目以降の用紙は、すでに排紙トレイに積層されている用紙上に排出される。したがって、１枚目と２枚目以降の用紙は、排出時に用紙に作用する摩擦力が異なる。排紙トレイ上に排出される１枚目の用紙に作用する摩擦力が２枚目以降に排出される用紙と比較して相対的に大きいケースでは、１枚目排出時の排紙トレイの傾斜角度を相対的に小さくする調整を行う。この結果、印刷ジョブに基づいて排出される用紙のスタック性能が一層良好になる。
【００３１】
【発明の実施の形態】
以下、図面を参照して本発明の実施の形態について説明する。図１には、本発明の一実施形態に係るプリントシステム１０を示した。
【００３２】
図１に示すように、プリントシステム１０は、クライアントコンピュータ１２、サーバ１４、プリンタコントローラ（プリンタＥＳＳ）１６、本体ＣＰＵ１８、ＲＯＳ露光部２０、感光体ベルト２２、ベルト駆動装置２４、帯電器２６、現像器２８、転写コロトロン３０、クリーナー３２、定着器３４、排紙部５０、及び用紙トレイ３８を備えている。
【００３３】
クライアントコンピュータ１２は、当該クライアントコンピュータ１２で指示入力をするために、各々キーボード、マウス等の入力装置が設けられており、コンピュータによる処理結果等を表示するためのディスプレイ、各種データを記憶するための記憶装置等が設けられている。なお、クライアントコンピュータ１２は、汎用的かつ一般的なハードウェア構成であるため、詳細な説明を省略する。
【００３４】
ユーザがクライアントコンピュータ１２を使用して文書データや画像データ等を作成して印刷を指示した場合、クライアントコンピュータ１２は、印刷ジョブを生成してサーバ１４へ送信する。この印刷ジョブには、例えば印刷する用紙のサイズ、紙質（厚さ）、印刷枚数、印字フォント、階調等の印刷情報、及び印刷データ等が含まれる。
【００３５】
サーバ１４は、複数のクライアントコンピュータ１２と接続され、各クライアントコンピュータ１２から送信された印刷ジョブを受信し、受信順に待ち行列へ登録する、すなわち図示しない記憶装置へ記憶する。
【００３６】
待ち行列の一例を以下に示す。
【００３７】
【表１】
0003912025.tif 000002
【００３８】
そして、サーバ１４は、待ち行列の先頭の印刷ジョブをプリンタコントローラ１６へ送信する。すなわち待ち行列は先入れ先出しのバッファとなっている。プリンタコントローラ１６は、サーバ１４から送信された印刷ジョブを解析して画像情報（ラスタデータ）に展開する。
【００３９】
プリンタコントローラ１６は、展開したラスタデータをプリンタ本体２５を制御する本体ＣＰＵ１８へ送信する。本体ＣＰＵ１８は、ＲＯＳ露光部２０及びベルト駆動装置２４を含むプリンタ本体２５を制御する。プリンタ本体２５は、ＲＯＳ露光部２０、感光体ベルト２２、ベルト駆動装置２４、帯電器２６、現像器２８、転写コロトロン３０、クリーナー３２、定着器３４、ソータ３６及び用紙トレイ３８を含んで構成されている。
【００４０】
感光体ベルト２２は、ベルト駆動装置２４により図中矢印Ａ方向へ搬送され、帯電器２６により一様に帯電される。本体ＣＰＵ１８は、プリンタコントローラ１６から送信されたラスタデータ、すなわち画像情報に応じてＲＯＳ露光部２０を制御し、画像情報に応じたレーザビーム２１で感光体ベルト２２上を走査露光させる。
【００４１】
ＲＯＳ露光部２０は、例えば半導体レーザ、コリメータレンズ、ポリゴンミラー、ｆθレンズ等を含んで構成され、本体ＣＰＵ１８は、プリンタコントローラ１６から送信された画像情報に応じて半導体レーザをオンオフ制御する。
【００４２】
半導体レーザから出射されたレーザビーム２１は、コリメータレンズを透過して定速回転するポリゴンミラーへ入射され、該ポリゴンミラーにより感光体ベルト２２の方向に偏向される。偏向されたレーザビーム２１は、ｆθレンズを透過して感光体ベルト２２上に集束する。
【００４３】
このようにしてＲＯＳ露光部２０により感光体ベルト２２上が画像情報に応じて走査露光される。これにより、感光体ベルト２２上に画像情報に応じた静電潜像が形成される。
【００４４】
感光体ベルト２２上に形成された静電潜像は、現像器２８によりトナー現像される。これにより感光体ベルト２２上には、画像情報に応じたトナー像が形成される。
【００４５】
一方、用紙トレイ３８は、複数のトレイを備えており、例えば厚紙（１０５〜２５６ｇｓｍ）、普通紙（６４〜１０４ｇｓｍ）、薄紙（５６〜６４ｇｓｍ）等の紙質の異なる用紙や、Ａ３サイズ、Ａ４サイズ、Ｂ５サイズ等のサイズの異なる用紙が種類別にそれぞれのトレイに収容されている。本体ＣＰＵ１８は、印刷ジョブにより指定された用紙が搬送路３９上を搬送されるように制御する。
【００４６】
そして、記録用紙４０が搬送路３９上を図中矢印Ｂ方向へ搬送され、転写コロトロン３０の位置まで搬送されると、感光体ベルト２２上に形成されたトナー像は、転写コロトロン３０によって搬送路３９上を搬送される記録用紙４０に転写される。感光体ベルト２２上に残ったトナーは、クリーナー３２により除去される。
【００４７】
トナー像が転写された記録用紙４０は、定着器３４により加圧されると共に加熱される。これにより、記録用紙４０上のトナー像が溶融して記録用紙４０に定着する。
【００４８】
定着器３４によってトナー像が定着された記録用紙４０は、排紙部５０に搬送される。排紙部５０には、図２に示すように、記録用紙４０をプリンタ本体２５から外部に排出するための排出ローラ対５２と、排出された用紙をストックすると共に支点５８を中心に揺動自在な排紙トレイ５４と、排紙トレイ５４の傾斜角度を調整するための調整機構５６と、図示しない駆動機構によって昇降する排紙トレイ５４の昇降位置から用紙の枚数を検出する検出とを備える。
【００４９】
調整機構５６は、サーバ１４の調整信号によって駆動される駆動モータ６０と、駆動モータ６０の駆動ギアと噛合される伝達ギア６２と、伝達ギア６２と一端で噛合してその軸方向（矢印Ｃ方向）に移動自在とされると共に他端が排紙トレイ５４の下面と係合するシャフト６４とを備える。したがって、駆動モータ６０の駆動によってシャフト６４が軸方向に移動して、排紙トレイ５４が支点５８を中心に揺動して傾斜角度が調整されるものである。
【００５０】
次に、本実施形態の作用（サーバ１４で実行される制御ルーチン）について、図３に示すフローチャートを参照して説明する。
【００５１】
ユーザがクライアントコンピュータ１２を使用して文書データや画像データ等を作成して印刷を指示すると、クライアントコンピュータ１２は、印刷ジョブを生成してサーバ１４へ送信する。サーバ１４は、クライアントコンピュータ１２から送信された印刷ジョブを受信し、受信順に待ち行列へ登録する。
【００５２】
図３に示すように、サーバ１４では、先ず、プリンタ本体２５が電源投入（立ち上げ）直後であるか否かを判定する（ステップ１００）。立ち上げ直後の場合には、排紙トレイ５４の傾斜をホームポジションの傾斜角度とする調整信号を生成し、調整機構５６の駆動モータ６０に出力する(ステップ１０２）。これによって、駆動モータ６０が駆動されてシャフト６４が軸方向に変位することによって、排紙トレイ５４がホームポジションの傾斜角度にされる。
【００５３】
さらに、電源がＯＦＦされていない場合には、サーバ１４は、待ち行列の中からトップになっている印刷ジョブの用紙情報（紙質情報等）を読み出し、この紙質情報に基づいて印字ジョブに係る紙質と排紙トレイの傾斜角度の関係が設定された図示しないテーブルを参照して排紙トレイ５４の傾斜角度を仮設定する(ステップ、１０４、１０６）。これは、定着部３４において一定温度で記録用紙に加熱される場合、定着しにくい厚紙用に温度設定されるため、薄紙は定着部３４で加熱されることにより、カールして排紙トレイ５４に排出されるため、排紙トレイ５４上で先端が浮きやすい。そこで、薄い（カールしやすい）用紙ほど、排紙トレイ５４の傾斜角度を小さく設定するものである。また、紙質には、厚い・薄いだけでなく、コート紙のように表面の摩擦抵抗の小さいもの、カーボン紙のように摩擦抵抗の大きいもの、ミシン目があって引っかかり易いもの等を含み、これらに応じて排紙トレイ５４の傾斜角度を仮設定するものである。
【００５４】
ここでは、紙質情報についてのみ説明したが、用紙サイズ、印刷枚数にも基づいて傾斜角度が仮設定される。すなわち、用紙サイズが相対的に大きい場合には傾斜角度を増加させ、印刷枚数が相対的に大きい場合にも傾斜角度を増加させるように設定している。
【００５５】
続いて、サーバ１４は、排紙トレイ５４に用紙が積層されているか否かを検出センサ５９からサーバ１４に入力された検出信号に基づいて判定する(ステップ１０８）。ここで、排紙トレイ５４に用紙がないと判定された場合(ステップ１０８でＮＯ）には、印刷ジョブの用紙情報（紙質等）に基づいて仮設定された排紙トレイ５４の傾斜角度をそのまま設定値とし、排紙トレイ５４の傾斜角度が設定値となるように前回設定された傾斜角度との差分に基づいて調整（パルス）信号を生成し、調整機構５６の駆動モータ６０に出力する(ステップ１０２）。これによって、駆動モータ６０が駆動されてシャフト６４が軸方向に変位することによって、排紙トレイ５４が設定された傾斜角度にされる。
【００５６】
ただし、この場合には、排出される１枚目の用紙は排紙トレイ５４上を摺動するため、用紙に作用する摩擦抵抗が２枚目以降の用紙と比較して相対的に低くなる場合には、１枚目の用紙が排出されるときだけ、設定値よりも傾斜角度が３°程度高くなるように調整する。また、排出される１枚目の用紙に作用する摩擦抵抗が２枚目以降の用紙と比較して相対的に高くなる場合には、１枚目の用紙が排出されるときだけ、設定値よりも傾斜角度が３°程度低くなるように調整する。
【００５７】
一方、排紙トレイ５４に用紙有りと判定された場合(ステップ１０８でＹＥＳ）には、排紙トレイ５４に設けられた検出センサ５９からの検出信号に基づいて用紙のスタック量（積層枚数）を検出する。これによって、用紙の枚数を確実に検出でき、用紙の積層位置を正確に検出できる。したがって、用紙の排出口に対する最上段の用紙位置に基づいて用紙位置（積層枚数）と排紙トレイの傾斜角度の関係が設定された図示しないテーブルを参照して仮設定された排紙トレイ５４の傾斜角度を調整する(ステップ１１０）。すなわち、用紙の積層高さの増大に応じて傾斜角度を減少させるように設定値を調整する。これは、用紙の積層量が増大すると、排出される用紙の先端が積層された最上段の用紙に当接するまでの距離が減少して、排出された用紙にカールが発生することを防止するためである。
【００５８】
さらに、排紙トレイ５４の最上段に位置する用紙の紙質に基づいて仮設定された排紙トレイ５４の傾斜角度を調整する(ステップ１１２）。これは、排紙トレイ５４の最上段に位置する用紙の紙質によって排出される用紙に作用する摺動摩擦抵抗が異なるため、設定傾斜角度を調整するものである。例えば、最上段の用紙が表面処理されたコート紙である場合には、排出される用紙の摺動抵抗が相対的に低下するため仮設定された傾斜角度を増加させる調整をするものである。
【００５９】
なお、ここで、排紙トレイ５４の最上段に位置する用紙の種類は以下のようにしてサーバ１４で検知される。すなわち、サーバ１４には、処理済みの印字ジョブの履歴情報が格納されている（表１と同様）。したがって、サーバ１４が検出センサ５９の検出信号に基づいて排紙トレイ５４の積層枚数を常時検出しているため、排紙トレイ５４から用紙が引きぬかれた場合にはその枚数が検知される。ユーザーは、排紙トレイ５４から印刷ジョブ単位で用紙を取り出すため、減少した用紙枚数からどの印刷ジョブに係る用紙が排紙トレイ５４から取り出されたかを検知して、該当する印刷ジョブの履歴を削除する。この結果、サーバ１４では、どの印刷ジョブの用紙が最上段となっているかが検知されることになる。例えば、表１に示すような履歴情報がある場合に、排紙トレイ５４から３０枚の用紙が取り出されたとの入力がサーバ１４にあった場合には、サーバ１４では第３印刷ジョブのコート紙が取り出されたものと判断し、最上段には第４印刷ジョブのＡ４サイズの厚紙があると判断するものである。
【００６０】
さらにまた、排紙トレイ５４の最上段に位置する用紙のサイズと印刷ジョブの用紙サイズに基づいて、図示しないテーブルを参照して仮設定された排紙トレイ５４の傾斜角度を調整する(ステップ１１４）。これは、最上段の用紙サイズと排出される用紙サイズの関係によって、排出される用紙に作用する摺動摩擦抵抗が異なるため、仮設定された傾斜角度を調整するものである。例えば、最上段の用紙がＡ４サイズであり、印刷ジョブの用紙サイズがＡ３である場合には、排出される用紙に対する摺動抵抗が相対的に低下するため設定傾斜角度を増加させ、最上段の用紙がＡ３サイズであり、印刷ジョブの用紙サイズがＡ４である場合には、排出される用紙に対する摺動抵抗が相対的に増加するため設定傾斜角度を減少させる調整をするものである。
【００６１】
このように、仮設定された傾斜角度が調整されて設定値とされた後、排紙トレイ５４の傾斜角度が設定値となるように前回設定された傾斜角度との差分に基づいて調整（パルス）信号を生成し、調整機構５６の駆動モータ６０に出力する(ステップ１０２）。これによって、駆動モータ６０が駆動されてシャフト６４が軸方向に変位することによって、排紙トレイ５４が設定された傾斜角度にされる。このように、印刷ジョブと排紙トレイ５４の用紙情報に基づいて設定された排紙トレイ５４の傾斜角度の一例を表２に示す。
【００６２】
【表２】
0003912025.tif 000003
【００６３】
同時に、サーバ１４は、待ち行列の先頭に登録された印刷ジョブをプリンタコントローラ１６へ送信する。プリンタコントローラ１６は、サーバ１４から送信された印刷ジョブを解析して画像情報（ラスタデータ）に展開する。
【００６４】
プリンタコントローラ１６は、展開したラスタデータをプリンタ本体２５を制御する本体ＣＰＵ１８へ送信する。本体ＣＰＵ１８は、プリンタコントローラ１６から送信されたラスタデータ、すなわち画像情報に応じてＲＯＳ露光部２０を制御し、画像情報に応じたレーザビーム２１で感光体ベルト２２上を走査露光させる。これにより、感光体ベルト２２上に画像情報に応じた静電潜像が形成される。
【００６５】
感光体ベルト２２上に形成された静電潜像は、現像器２８によりトナー現像される。これにより感光体ベルト２２上には、画像情報に応じたトナー像が形成される。
【００６６】
また、本体ＣＰＵ１８は、印刷ジョブの種類の記録用紙４０が搬送路３９上を搬送されるように用紙トレイ３８を制御する。これにより、所定の記録用紙４０が搬送路３９上を図中矢印Ｂ方向へ搬送される。そして、記録用紙４０が転写コロトロン３０の位置まで搬送されると、感光体ベルト２２上に形成されたトナー像は、転写コロトロン３０によって搬送路３９上を搬送される記録用紙４０に転写される。感光体ベルト２２上に残ったトナー像は、クリーナー３２により除去される。
【００６７】
トナー像が転写された記録用紙４０は、定着器３４の加熱された定着ローラ４２と加圧ローラ４４とにより挟持搬送され、加圧されると共に加熱される。これにより、記録用紙４０上のトナー像が溶融して記録用紙４０に定着する。定着器３４によってトナー像が定着された記録用紙４０は、排紙部５０に搬送され、排紙トレイ５４に排出される。
【００６８】
排紙トレイ５４は、サーバ１４から送信された調整信号により、角度調整されている。したがって、印刷される用紙の紙質や排紙トレイに積層された最上段の用紙の種類に拘わらず、記録用紙４０が排紙トレイ５４から落下したり、良好に後端揃いしなかったり、排出状態が不良となることはない。
【００６９】
このように、本実施形態に係るプリントシステム１０では、印刷ジョブの用紙情報（用紙の紙質等）のみならず、排紙トレイ５４に積層されている用紙情報（用紙枚数、最上段の用紙の紙質、サイズ等）によって排紙トレイの傾斜角度を調整しているため、異なる種類の用紙が排出されても排紙トレイ５４のスタック性能が良好に確保される。
【００７０】
なお、本実施形態では、電子写真方式の画像形成装置について説明したが、これに限定されるものではない。用紙を加熱するもの、例えば、乾燥部が設けられたインクジェットプリンタ等にも適用することができる。
【００７１】
【発明の効果】
以上説明したように、本発明によれば、印刷ジョブで処理される用紙の種類等に拘わらず、排紙トレイが良好なスタック性能を確保することができる。
【図面の簡単な説明】
【図１】  本発明の一実施形態に係るプリントシステムの概略構成図である。
【図２】  本発明の一実施形態に係るプリントシステムの調整機構を示す概略構成図である。
【図３】  サーバにより実行される制御ルーチンのフローチャートである。
【符号の説明】
１０…プリントシステム
１２… クライアントコンピュータ
１４…サーバ（設定手段）
１６…プリンタコントローラ
２２…感光体ベルト（像担持体）
２４…ベルト駆動装置
３０…転写コロトロン（転写器）
３４…定着器（定着手段）
５４…排紙トレイ
５６…調整機構（調整手段）
【図１】
0003912025.tif 000004
【図２】
0003912025.tif 000005
【図３】
0003912025.tif 000006